(57)【要約】【課題】主凝縮器の下流側に流路切換バルブを介して複数の防露パイプを並列接続して任意に選択することで、冷蔵庫の設置環境や運転状態によって防露パイプに起因する圧力損失や熱負荷を調整して抑制することを目的とする。【解決手段】冷媒循環量が大きい過負荷時に複数の防露パイプを同時に並列使用して防露パイプに起因する圧力損失を抑制することができるとともに、冷媒循環量が小さい通常負荷時には使用する防露パイプを減らして、防露パイプに起因する熱負荷を抑制することができる。【選択図】図２
2013210180.tif 000002
【特許請求の範囲】
【請求項１】
少なくとも圧縮機、蒸発器、凝縮器を有する冷凍サイクルを備え、前記凝縮器は強制空冷方式の主凝縮器と、前記主凝縮器の下流側に接続した流路切換バルブと、前記流路切換バルブの下流側に接続した副凝縮器とを有し、前記副凝縮器は並列に接続した複数の防露パイプを有し、前記冷凍サイクルが通常条件で運転する場合は複数の前記防露パイプに交互に冷媒を流すとともに、過負荷条件で運転する場合は複数の前記防露パイプに並列に冷媒を流すことを特徴とする冷蔵庫。
【請求項２】
冷蔵室と冷凍室とを備え、前記冷蔵室と前記冷凍室とがともに所定温度よりも高い場合を過負荷条件として、複数の前記防露パイプに並列に冷媒を流すことを特徴とする請求項１に記載の冷蔵庫。
【請求項３】
冷蔵室と、冷凍室と、冷凍サイクルと、前記冷凍サイクルの構成要素である蒸発器と、前記蒸発器で発生した冷気を前記冷蔵室および前記冷凍室へ供給する蒸発器ファンと、前記蒸発器から前記冷蔵室へ供給される冷気を遮断する冷蔵室ダンパーと、前記蒸発器から前記冷凍室へ供給される冷気を遮断する冷凍室ダンパーと、前記冷凍室の温度を検知するＦＣＣ温度センサと、前記冷蔵室の温度を検知するＰＣＣ温度センサとを有する冷蔵庫において、前記冷凍室ダンパーを開放し、前記冷蔵室ダンパーを閉塞して、前記冷凍サイクルを稼動しながら前記蒸発器で発生した冷気を供給して前記冷凍室を冷却するＦＣ冷却モードと、前記冷凍室ダンパーを閉塞し、前記冷蔵室ダンパーを開放して、前記冷凍サイクルを稼動しながら前記蒸発器で発生した冷気を供給して前記冷蔵室を冷却するＰＣ冷却モードと、前記冷凍室ダンパーを開放し、前記冷蔵室ダンパーを開放して、前記冷凍サイクルを稼動しながら前記蒸発器で発生した冷気を供給して前記冷凍室と冷蔵室を同時に冷却する同時冷却モードと、前記冷凍室ダンパーを閉塞し、前記冷蔵室ダンパーを開放して、前記冷凍サイクルを停止しながら前記蒸発器ファンを運転することで、前記蒸発器と前記冷蔵室内の空気を熱交換するオフサイクル冷却モードとを有し、通常条件ではＦＣ冷却モードとＰＣ冷却モード、オフサイクル冷却モードを組み合わせて冷却するとともに、過負荷条件では同時冷却モードとＦＣ冷却モードを組み合わせて冷却することを特徴とする請求項１または２に記載の冷蔵庫。
【請求項４】
前記圧縮機は可変速圧縮機とし、通常運転時は前記圧縮機を所定回転数未満で運転しながらＦＣ冷却モードとＰＣ冷却モード、オフサイクル冷却モードを組み合わせて冷却するとともに、過負荷条件では前記圧縮機を所定回転数以上で運転しながら同時冷却モードとＦＣ冷却モードを組み合わせて冷却することを特徴とする請求項３に記載の冷蔵庫。
【請求項５】
上部機械室と下部機械室とを備え、前記上部機械室に前記圧縮機を配置するとともに、前記下部機械室に前記流路切換バルブを配置することを特徴とする請求項１から４のいずれか一項に記載の冷蔵庫。
【請求項６】
複数の防露パイプの合流点を上部機械室に配置するとともに、前記防露パイプの流れ方向を略上方とすることを特徴とする請求項５記載の冷蔵庫。
【請求項７】
冷凍サイクルの停止前の所定時間の間、複数の前記防露パイプに並列に冷媒を流しながら、凝縮器を強制空冷するファンを停止するとともに、冷凍サイクルの停止中に流路切換バルブを閉塞することを特徴とする請求項１から６のいずれか一項に記載の冷蔵庫。
【請求項８】
冷凍サイクルの停止中に流路切換バルブを閉塞した後、所定時間の間、圧縮機を運転することを特徴とする請求項７記載の冷蔵庫。
【請求項９】
冷凍サイクルの停止中に流路切換バルブを閉塞した後、冷凍サイクルの運転に先立って流路切換バルブを開放して所定時間保持することで、防露パイプに冷媒を貯留することを特徴とする請求項７から８のいずれか一項に記載の冷蔵庫。
【発明の詳細な説明】
【技術分野】
【０００１】
本発明は、冷凍室と冷蔵室にそれぞれ冷気を遮断するダンパーを有し、１個の蒸発器を用いて冷凍室と冷蔵室それぞれを単独で冷却することにより、冷凍サイクルの効率を高めた冷蔵庫に関するものである。
【背景技術】
【０００２】
省エネルギーの観点から、家庭用冷蔵庫においては、１個の蒸発器を用いて冷凍室と冷蔵室それぞれを単独で冷却することにより、冷凍サイクルの効率を高めた冷蔵庫がある。これは、比較的空気温度の高い冷蔵室を冷却する際に冷凍室よりも高い蒸発温度で冷却することで、冷凍サイクルの効率を高めるものである。
【０００３】
さらに、冷凍室と冷蔵室それぞれに設けられた冷気を遮断するダンパーを用いて、圧縮機停止中に低温である蒸発器の冷熱を利用して冷蔵室を冷却することが提案されている（例えば、特許文献１参照）。これは、蒸発器に付着した霜の昇華熱あるいは融解熱を再利用することで、除霜時のヒータ電力を削減しながら冷蔵室の冷却に必要な冷凍サイクルの能力を削減することにより省エネルギー化を図るものである。
【０００４】
以下、図面を参照しながら従来の冷蔵庫を説明する。
【０００５】
図８は従来の冷蔵庫の縦断面図、図９は従来の冷蔵庫の冷凍サイクル構成図、図１０は従来の冷蔵庫の正面の模式図、図１１は従来の冷蔵庫の冷却制御における状態遷移とその切換条件を示した図、図１２は従来の冷蔵庫の冷却停止前後の制御を示した図である。
【０００６】
図８〜１０において、冷蔵庫１１は、筐体１２、扉１３、筐体１２を支える脚１４、筐体１２の下部に設けられた下部機械室１５、筐体１２の上部に配置された冷蔵室１７、筐体１２の下部に配置された冷凍室１８を有している。また、冷凍サイクルを構成する部品として、下部機械室１５に納められた圧縮機５６、冷凍室１８の背面側に収められた蒸発器２０、下部機械室１５内に納められた主凝縮器２１を有している。また、下部機械室１５を仕切る隔壁２２、隔壁２２に取り付けられ主凝縮器２１を空冷するファン２３、圧縮機５６の上部に設置された蒸発皿５７、下部機械室１５の底板２５を有している。
【０００７】
また、底板２５に設けられた複数の吸気口２６、下部機械室１５の背面側に設けられた排出口２７、下部機械室１５の排出口２７と筐体１２の上部を繋ぐ連通風路２８を有している。ここで、下部機械室１５は隔壁２２によって２室に分けられ、ファン２３の風上側に主凝縮器２１、風下側に圧縮機５６と蒸発皿５７を収めている。
【０００８】
また、冷凍サイクルを構成する部品として、主凝縮器２１の下流側に位置し、冷凍室１８の開口部周辺の筐体１２の外表面と熱結合された防露パイプＡ３７、防露パイプＡ３７の下流側に位置し、循環する冷媒を乾燥するドライヤ３８、ドライヤ３８と蒸発器２０を結合し、循環する冷媒を減圧する絞り３９を有している。
【０００９】
また、蒸発器２０で発生する冷気を冷蔵室１７と冷凍室１８に供給する蒸発器ファン５０、冷凍室１８に供給される冷気を遮断する冷凍室ダンパー５１、冷蔵室１７に供給される冷気を遮断する冷蔵室ダンパー５２、冷蔵室１７に冷気を供給するダクト５３、冷凍室１８の温度を検知するＦＣＣ温度センサ５４、冷蔵室１７の温度を検知するＰＣＣ温度センサ５５、蒸発器２０の温度を検知するＤＥＦ温度センサ５８を有している。
【００１０】
また、ドライヤ３８の出口側に開閉弁６０を設け、冷凍サイクル運転中は開閉弁を開けるとともに、冷凍サイクル停止中に開閉弁を閉めることで、冷凍サイクル内の冷媒が停止中に移動することを防止する。
【００１１】
以上のように構成された従来の冷蔵庫について以下にその動作を説明する。
【００１２】
図１１において、Ｍ１〜Ｍ１１は従来の冷蔵庫の冷却制御におけるモード切換を示す。
【００１３】
ファン２３、圧縮機５６、蒸発器ファン５０をともに停止している冷却停止状態（以下、この動作を「ＯＦＦモード」という）において、ＦＣＣ温度センサ５４の検知する温度が所定値のＦＣＣ＿ＯＮ温度まで上昇するか、あるいは、ＰＣＣ温度センサ５５の検知する温度が所定値のＰＣＣ＿ＯＮ温度まで上昇する（すなわち、Ｍ１の条件を満足する）と、冷凍室ダンパー５１を閉とし、冷蔵室ダンパー５２を開として、圧縮機５６とファン２３、蒸発器ファン５０を駆動する（以下、この動作を「ＰＣ冷却モード」という）。
【００１４】
ＰＣ冷却モードにおいては、ファン２３の駆動によって、隔壁２２で仕切られた下部機械室１５の主凝縮器２１側が負圧となり複数の吸気口２６から外部の空気を吸引し、圧縮機５６と蒸発皿５７側が正圧となり下部機械室１５内の空気を複数の排出口２７から外部へ排出する。
【００１５】
一方、圧縮機５６から吐出された冷媒は、主凝縮器２１で外気と熱交換しながら一部の気体を残して凝縮した後、防露パイプＡ３７へ供給される。防露パイプＡ３７を通過した冷媒は冷凍室１８の開口部を暖めながら、筐体１２を介して外部に放熱して凝縮する。防露パイプＡ３７を通過した液冷媒は、ドライヤ３８で水分除去され、絞り３９で減圧されて蒸発器２０で蒸発しながら冷蔵室１７の庫内空気と熱交換して冷蔵室１７を冷却しながら、気体冷媒として圧縮機５６に還流する。
【００１６】
ＰＣ冷却モード中に、ＦＣＣ温度センサ５４の検知する温度が所定値のＦＣＣ＿ＯＦＦ温度まで下降上昇するとともに、ＰＣＣ温度センサ５５の検知する温度が所定値のＰＣＣ＿ＯＦＦ温度まで下降する（すなわち、Ｍ２の条件を満足する）と、ＯＦＦモードに遷移する。
【００１７】
また、ＰＣ冷却モード中に、ＦＣＣ温度センサ５４の検知する温度が所定値のＦＣＣ＿ＯＦＦ温度より高い温度を示すとともに、ＰＣＣ温度センサ５５の検知する温度が所定値のＰＣＣ＿ＯＦＦ温度まで下降する（すなわち、Ｍ５の条件を満足する）と、冷凍室ダンパー５１を開とし、冷蔵室ダンパー５２を閉として、圧縮機５６とファン２３、蒸発器ファン５０を駆動する。以下、ＰＣ冷却と同様に冷凍サイクルを稼動させることにより、冷凍室１８の庫内空気と蒸発器２０を熱交換して冷凍室１８を冷却する（以下、この動作を「ＦＣ冷却モード」という）。
【００１８】
ＦＣ冷却モード中に、ＦＣＣ温度センサ５４の検知する温度が所定値のＦＣＣ＿ＯＦＦ温度まで下降するとともに、ＰＣＣ温度センサ５５の検知する温度が所定値のＰＣＣ＿ＯＮ温度以上を示す（すなわち、Ｍ６の条件を満足する）と、ＰＣ冷却モードに遷移する。
【００１９】
また、ＦＣ冷却モード中に、ＦＣＣ温度センサ５４の検知する温度が所定値のＦＣＣ＿ＯＦＦ温度まで下降するとともに、ＰＣＣ温度センサ５５の検知する温度が所定値のＰＣＣ＿ＯＮ温度より低い温度を示す（すなわち、Ｍ４の条件を満足する）と、ＯＦＦモードに遷移する。
【００２０】
ここで、ＯＦＦモード前後の制御の詳細について説明する。
【００２１】
図１２において、区間ｐはＰＣ冷却モードあるいはＦＣ冷却モードを示し、区間ｑはＯＦＦモードを示す。ＯＦＦモードにおいては、開閉弁６０を閉塞し圧縮機５６を停止するとともに、蒸発器ファン５０とファン２３を停止する。これによって、防露パイプＡ３７と主凝縮器２１などに存在する高温冷媒が蒸発器２０に流入することを防止して、蒸発器２０の昇温を抑制する。
【００２２】
次に、蒸発器２０に付着した霜を利用した冷却動作について説明する。
【００２３】
蒸発器２０の近傍に設置された除霜ヒータ（図示せず）に通電するとともに、圧縮機５６を停止、冷凍室ダンパー５１を閉とし、冷蔵室ダンパー５２を開として蒸発器ファン５０を駆動する（以下、この動作を「デフロストモード」という）ことによって、蒸発器２０に付着した霜を融解除去するとともに、除去されつつある霜の昇華熱あるいは融解熱を利用して冷蔵室１７を冷却する。
【００２４】
また、蒸発器２０の近傍に設置された除霜ヒータ（図示せず）に通電せずに、圧縮機５６を停止、冷凍室ダンパー５１を閉とし、冷蔵室ダンパー５２を開として蒸発器ファン５０を駆動する（以下、この動作を「オフサイクル冷却モード」という）ことによって、蒸発器２０とこれに付着している霜の低温の顕熱と霜の昇華熱あるいは融解熱を利用して冷蔵室１７を冷却する。このとき、蒸発器２０に付着した霜は完全に融解除去されることはないが、蒸発器２０に付着した霜を再利用することで、デフロストモード時のヒータ（図示せず）の電力を削減しながら冷蔵室１７を冷却することができる。
【００２５】
ＦＣ冷却モード中に、電源投入時、あるいは、前回のデフロスト終了時から所定時間Ｔｘ２を経過する（すなわち、Ｍ７の条件を満足する）と、冷凍室１８を通常より低い温度まで冷却するためにＦＣ冷却を所定時間継続する（以下、この動作を「プリクールモード」という）。次に、プリクール開始からが所定時間Ｔｘ３経過する（すなわち、Ｍ８の条件を満足する）と、デフロスト動作に遷移する。そして、デフロスト中に、蒸発器２０に取り付けられたＤＥＦ温度センサ５８の検知する温度が所定値のＤＥＦ＿ＯＦＦ温度より高い温度を示すか、あるいは、デフロスト開始から所定時間Ｔｘ４経過する（すなわち、Ｍ９の条件を満足する）と、オフサイクル冷却モードに遷移する。
【００２６】
また、ＯＦＦモード中に、ＯＦＦ開始から所定時間Ｔｍ経過する（すなわち、Ｍ１０の条件を満足する）と、オフサイクル冷却モードに遷移する。
【００２７】
オフサイクル冷却モード中に、オフサイクル冷却の開始から所定時間Ｔｄ経過する（すなわち、Ｍ１１の条件を満足する）と、ＯＦＦモードに遷移する。
【００２８】
ここで、過負荷条件における冷却動作について説明する。
【００２９】
従来の冷蔵庫においては、冷蔵室１７を単独で冷却するＰＣ冷却と、冷凍室１８を単独で冷却するＦＣ冷却を切り換えて冷却制御を行うため、冷蔵室１７あるいは冷凍室１８に高温の食材などが投入されるような過大な負荷が発生した場合、冷蔵室１７あるいは冷凍室１８のどちらか一方が長時間冷却されないことが懸念される。
【００３０】
そこで、Ｍ５の条件に付記されたように、ＰＣ冷却中にＦＣＣ温度センサ５４の検知する温度が所定値のＦＣＣ＿ＯＮ温度を越えた場合、あるいは、Ｍ６の条件に付記されたように、ＦＣ冷却中にＰＣＣ温度センサ５５の検知する温度が所定値のＰＣＣ＿ＯＮ温度を越えた場合、ＰＣＣ温度センサ５５の検知する温度が所定値のＰＣＣ＿ＯＦＦ温度に到達するか、あるいは、ＦＣＣ温度センサ５４の検知する温度が所定値のＦＣＣ＿ＯＦＦ温度
に到達するまでの間、所定時間ＴｘｒのＰＣ冷却と所定時間ＴｘｆのＦＣ冷却を交互に繰り返す（以下、この動作を「交互冷却」という）。これによって、冷蔵室１７あるいは冷凍室１８のどちらか一方が長時間冷却されない状態を回避することができる。
【００３１】
以上のように説明した動作によって、ＰＣ冷却モードの蒸発器２０の温度をＦＣ冷却モードよりも高く保つことで、冷凍サイクルの効率を高めることができるとともに、オフサイクル冷却モードによって蒸発器２０に付着した霜の融解潜熱を再利用することで、除霜時のヒータ電力（図示せず）を削減しながら冷蔵室１７の冷却に必要な冷凍サイクルの能力を削減することにより省エネルギー化を図ることができる。
【先行技術文献】
【特許文献】
【００３２】
【特許文献１】特開平９−２３６３６９号公報
【発明の概要】
【発明が解決しようとする課題】
【００３３】
しかしながら、従来の冷蔵庫の構成では、冷蔵庫の設置環境や運転状態によらず常に防露パイプＡ３７に冷媒を流すために、防露パイプＡ３７から冷凍室１８に侵入する熱負荷に起因して冷蔵庫の消費電力量が増大する原因となる。
【００３４】
また、長い細径管で構成される防露パイプＡ３７は圧力損失が大きく、特に冷媒循環量が増大する過負荷条件における凝縮温度上昇の要因となり、冷蔵庫の消費電力量が増大する原因となる。
【００３５】
従って、冷蔵庫の設置環境や運転状態によって防露パイプに起因する圧力損失や熱負荷を抑制することが課題であった。
【００３６】
本発明は、従来の課題を解決するもので、主凝縮器の下流側に流路切換バルブを介して複数の防露パイプを並列接続することで、冷蔵庫の設置環境や運転状態によって防露パイプに起因する圧力損失や熱負荷を調整して抑制することを目的とする。
【課題を解決するための手段】
【００３７】
従来の課題を解決するために、本発明の冷蔵庫は、主凝縮器の下流側に流路切換バルブを介して複数の防露パイプを並列接続したことを特徴とするものである。
【００３８】
これによって、特に冷媒循環量が大きい過負荷時に複数の防露パイプを同時に並列使用して防露パイプに起因する圧力損失を抑制することができる。ここで、過負荷時とは、例えば比較的外気の温度や湿度が高い夏場に頻繁に扉開閉を行った場合や、温度の高い食品を収納した場合を想定したもので、このような場合、冷凍サイクルの運転率が増大して冷媒循環量が増大するとともに、防露パイプが配設された冷蔵庫筐体の周囲の結露防止が必要となる。このとき、防露パイプを同時に並列使用して１本当りの冷媒循環量を低減することで、防露パイプに起因する圧力損失を抑制することができる。
【発明の効果】
【００３９】
本発明の冷蔵庫は、主凝縮器の下流側に流路切換バルブを介して複数の防露パイプを並列接続することで、防露パイプに起因する圧力損失や熱負荷を調整して抑制することができ、冷蔵庫の省エネが図れる。
【図面の簡単な説明】
【００４０】
【図１】本発明の実施の形態１における冷蔵庫の縦断面図
【図２】本発明の実施の形態１における冷蔵庫のサイクル構成図
【図３】本発明の実施の形態１における冷蔵庫の背面の模式図
【図４】本発明の実施の形態１における冷蔵庫の冷却制御における状態遷移とその切換条件を示した図
【図５】本発明の実施の形態２における冷蔵庫のサイクル構成図
【図６】本発明の実施の形態２における冷蔵庫の正面の模式図
【図７】本発明の実施の形態２における冷蔵庫の冷却停止前後の制御を示した図
【図８】従来の冷蔵庫の縦断面図
【図９】従来の冷蔵庫のサイクル構成図
【図１０】従来の冷蔵庫の正面の模式図
【図１１】従来の冷蔵庫の冷却制御における状態遷移とその切換条件を示した図
【図１２】従来の冷蔵庫の冷却停止前後の制御を示した図
【発明を実施するための形態】
【００４１】
第１の発明は、少なくとも圧縮機、蒸発器、凝縮器を有する冷凍サイクルを備え、前記凝縮器は強制空冷方式の主凝縮器と、前記主凝縮器の下流側に接続した流路切換バルブと、前記流路切換バルブの下流側に接続した副凝縮器とを有し、前記副凝縮器は並列に接続した複数の防露パイプを有し、前記冷凍サイクルが通常条件で運転する場合は複数の前記防露パイプに交互に冷媒を流すとともに、過負荷条件で運転する場合は複数の前記防露パイプに並列に冷媒を流すものである。
【００４２】
これによって、通常時は防露パイプに起因する熱負荷を抑制するとともに、冷媒循環量が大きい過負荷時に複数の防露パイプを同時に並列使用して防露パイプに起因する圧力損失を抑制することができる。ここで、過負荷時とは、例えば比較的外気の温度や湿度が高い夏場に頻繁に扉開閉を行った場合や、温度の高い食品を収納した場合を想定したもので、このような場合、冷凍サイクルの運転率が増大して冷媒循環量が増大するとともに、防露パイプが配設された冷蔵庫筐体の周囲の結露防止が必要となる。このとき、防露パイプを同時に並列使用して１本当りの冷媒循環量を低減することで、防露パイプに起因する圧力損失を抑制することができる。
【００４３】
第２の発明は、第１の発明において、冷蔵室と冷凍室とを備え、前記冷蔵室と前記冷凍室とがともに所定温度よりも高い場合を過負荷条件として、複数の前記防露パイプに並列に冷媒を流すものである。
【００４４】
これによって、通常条件で運転する場合と過負荷条件時に運転する場合とに場合分けを行い、各条件にあった運転することで省エネルギー化を図ることができる。さらに冷媒循環量が大きい過負荷時を的確に把握した上で、複数の防露パイプを同時に並列使用して防露パイプに起因する圧力損失を抑制することができるとともに、冷蔵室及び冷凍室の温度上昇を抑制することができる。
【００４５】
第３の発明は、第１または第２の発明において、冷蔵室と、冷凍室と、冷凍サイクルと、前記冷凍サイクルの構成要素である蒸発器と、前記蒸発器で発生した冷気を前記冷蔵室および前記冷凍室へ供給する蒸発器ファンと、前記蒸発器から前記冷蔵室へ供給される冷気を遮断する冷蔵室ダンパーと、前記蒸発器から前記冷凍室へ供給される冷気を遮断する冷凍室ダンパーと、前記冷凍室の温度を検知するＦＣＣ温度センサと、前記冷蔵室の温度を検知するＰＣＣ温度センサとを有する冷蔵庫において、前記冷凍室ダンパーを開放し、前記冷蔵室ダンパーを閉塞して、前記冷凍サイクルを稼動しながら前記蒸発器で発生した冷気を供給して前記冷凍室を冷却するＦＣ冷却モードと、前記冷凍室ダンパーを閉塞し、前記冷蔵室ダンパーを開放して、前記冷凍サイクルを稼動しながら前記蒸発器で発生した冷気を供給して前記冷蔵室を冷却するＰＣ冷却モードと、前記冷凍室ダンパーを開放し、
前記冷蔵室ダンパーを開放して、前記冷凍サイクルを稼動しながら前記蒸発器で発生した冷気を供給して前記冷凍室と冷蔵室を同時に冷却する同時冷却モードと、前記冷凍室ダンパーを閉塞し、前記冷蔵室ダンパーを開放して、前記冷凍サイクルを停止しながら前記蒸発器ファンを運転することで、前記蒸発器と前記冷蔵室内の空気を熱交換するオフサイクル冷却モードとを有し、通常条件ではＦＣ冷却モードとＰＣ冷却モード、オフサイクル冷却モードを組み合わせて冷却するとともに、過負荷条件では同時冷却モードとＦＣ冷却モードを組み合わせて冷却するものである。
【００４６】
これによって、通常条件では高効率なＰＣ冷却モードをできるだけ維持するとともに、過負荷条件では冷凍室の冷却を継続しながら、冷凍室と冷蔵室の冷却量を自動的に適正に調整することができ、冷蔵室及び冷凍室の温度上昇を抑制することができる。
【００４７】
第４の発明は、第３の発明において、前記圧縮機は可変速圧縮機とし、通常運転時は前記圧縮機を所定回転数未満で運転しながらＦＣ冷却モードとＰＣ冷却モード、オフサイクル冷却モードを組み合わせて冷却するとともに、過負荷条件では前記圧縮機を所定回転数以上で運転しながら同時冷却モードとＦＣ冷却モードを組み合わせて冷却するものである。
【００４８】
これによって、同時冷却モードにおける蒸発器の温度上昇を抑制して、冷凍室の冷却能力不足を抑制することができる。
【００４９】
第５の発明は、第１から第４のいずれかの発明において、上部機械室と下部機械室とを備え、前記上部機械室に前記圧縮機を配置するとともに、前記下部機械室に前記流路切換バルブを配置するものである。
【００５０】
これによって、流路切換バルブの接続配管と圧縮機の共振を抑制することにより、冷蔵庫の騒音を低減することができる。
【００５１】
第６の発明は、第５の発明において、複数の防露パイプの合流点を上部機械室に配置するとともに、前記防露パイプの流れ方向を略上方とするものである。
【００５２】
これによって、複数の防露パイプの流れ方向を一方向とすることで防露パイプに滞留する冷媒量を低減することができ、冷凍サイクルを停止した際に圧力差で蒸発器に流入する防露パイプ内の高温冷媒の量が減少することで蒸発器の昇温を抑制することができる。
【００５３】
第７の発明は、第１から第６のいずれかの発明において、冷凍サイクルの停止前の所定時間の間、複数の前記防露パイプに並列に冷媒を流しながら、凝縮器を強制空冷するファンを停止するとともに、冷凍サイクルの停止中に流路切換バルブを閉塞するものである。
【００５４】
これによって、冷凍サイクルの停止直前の防露パイプ内の冷媒の乾き度を上昇させて防露パイプに滞留する冷媒量を低減することができ、冷凍サイクルを停止した際に圧力差で蒸発器に流入する防露パイプ内の高温冷媒の量が減少することで蒸発器の昇温を抑制することができる。
【００５５】
第８の発明は、第７の発明において、冷凍サイクルの停止中に流路切換バルブを閉塞した後、所定時間の間、圧縮機を運転するものである。
【００５６】
これによって、冷凍サイクルの停止中に防露パイプ内の冷媒の一部を圧縮機まで回収することで防露パイプに滞留する冷媒量を低減することができ、冷凍サイクルを停止した際に圧力差で蒸発器に流入する防露パイプ内の高温冷媒の量が減少することで蒸発器の昇温
を抑制することができる。
【００５７】
第９の発明は、第７から第８のいずれかの発明において、冷凍サイクルの停止中に流路切換バルブを閉塞した後、冷凍サイクルの運転に先立って流路切換バルブを開放して所定時間保持することで、防露パイプに冷媒を貯留するものである。
【００５８】
これによって、冷凍サイクルの運転直後の冷媒循環量不足を解消することができる。
【００５９】
以下、本発明の実施の形態について、図面を参照しながら説明するが、従来例と同一構成については同一符号を付して、その詳細な説明は省略する。なお、この実施の形態によってこの発明が限定されるものではない。
【００６０】
（実施の形態１）
図１は本発明の実施の形態１における冷蔵庫の縦断面図、図２は本発明の実施の形態１における冷蔵庫のサイクル構成図、図３は本発明の実施の形態１における冷蔵庫の背面の模式図、図４は本発明の実施の形態１における冷蔵庫の冷却制御における状態遷移とその切換条件を示した図である。
【００６１】
図１〜３において、冷蔵庫１１は、筐体１２、扉１３、筐体１２を支える脚１４、筐体１２の下部に設けられた下部機械室１５、筐体１２の上部に設けられた上部機械室１６、筐体１２の上部に配置された冷蔵室１７、筐体１２の下部に配置された冷凍室１８を有する。また、冷凍サイクルを構成する部品として、上部機械室１６に納められた圧縮機１９、冷凍室１８の背面側に収められた蒸発器２０、下部機械室１５内に納められた主凝縮器２１を有している。また、下部機械室１５を仕切る隔壁２２、隔壁２２に取り付けられ主凝縮器２１を空冷するファン２３、隔壁２２の風下側に設置された蒸発皿２４、下部機械室１５の底板２５を有している。
【００６２】
ここで、圧縮機１９は可変速圧縮機であり、２０〜８０ｒｐｓから選択された６段階の回転数を使用する。これは、配管などの共振を避けながら、圧縮機１９の回転数を低速〜高速の６段階に切り換えて冷凍能力を調整するためである。圧縮機１９は、起動時は低速で運転し、冷蔵室１７あるいは冷凍室１８を冷却するための運転時間が長くなるに従って増速する。これは、最も高効率な低速を主として使用するとともに、高外気温や扉開閉などによる冷蔵室１７あるいは冷凍室１８の負荷の増大に対して、適切な比較的高い回転数を使用するためである。このとき、冷蔵庫１１の冷却運転モードとは独立に、圧縮機１９の回転数を制御するが、蒸発温度が高く比較的冷凍能力が大きいＰＣ冷却モードの起動時の回転数をＦＣ冷却モードよりも低く設定してもよい。また、冷蔵室１７あるいは冷凍室１８の温度低下に伴って、圧縮機１９を減速しながら冷凍能力を調整してもよい。
【００６３】
また、底板２５に設けられた複数の吸気口２６、下部機械室１５の背面側に設けられた排出口２７、下部機械室１５の排出口２７と上部機械室１６を繋ぐ連通風路２８を有している。ここで、下部機械室１５は隔壁２２によって２室に分けられ、ファン２３の風上側に主凝縮器２１、風下側に蒸発皿２４を収めている。
【００６４】
また、冷凍サイクルを構成する部品として、主凝縮器２１の下流側に位置し、冷凍室１８の開口部周辺の筐体１２の外表面と熱結合された防露パイプＡ３７、防露パイプＡ３７の下流側に位置し、循環する冷媒を乾燥するドライヤ３８、ドライヤ３８と蒸発器２０を結合し、循環する冷媒を減圧する絞り３９を有している。
【００６５】
ここで、防露パイプＡ３７の冷媒流路を分岐するために、流路切換バルブ４０、防露パイプＢ４１、合流点４２を有している。防露パイプＡ３７と防露パイプＢ４１は、流路切
換バルブ４０と合流点４２を並列に結ぶとともに、流路切換バルブ４０は、防露パイプＡ３７と防露パイプＢ４１それぞれ単独の冷媒の流れを開閉制御することができる。また、防露パイプＢ４１は防露パイプＡ３７と略同等の内容積と放熱能力を有し筐体１２の背面に接して放熱するとともに、真空断熱材４３と重複して配置することで筐体１２内部への伝熱を抑制している。
【００６６】
また、蒸発器２０で発生する冷気を冷蔵室１７と冷凍室１８に供給する蒸発器ファン３０、冷凍室１８に供給される冷気を遮断する冷凍室ダンパー３１、冷蔵室１７に供給される冷気を遮断する冷蔵室ダンパー３２、冷蔵室１７に冷気を供給するダクト３３、冷凍室１８の温度を検知するＦＣＣ温度センサ３４、冷蔵室１７の温度を検知するＰＣＣ温度センサ３５、蒸発器２０の温度を検知するＤＥＦ温度センサ３６を有している。ここで、ダクト３３は冷蔵室１７と上部機械室１６が隣接する壁面に沿って形成され、ダクト３３を通過する冷気の一部を冷蔵室の中央付近から排出するとともに、冷気の多くは上部機械室１６が隣接する壁面を冷却しながら通過した後に冷蔵室１７の上部から排出する。
【００６７】
以上のように構成された本発明の実施の形態１における冷蔵庫について、以下その動作を説明する。
【００６８】
図４において、Ｌ１〜Ｌ１５は本発明の実施の形態１における冷蔵庫の冷却制御におけるモード切換を示す。ここで、従来の冷蔵庫と同一の冷却運転モード及びモード切換条件については、詳細な説明を省略する。
【００６９】
先ず、オフサイクル冷却モードについて説明する。
【００７０】
ＯＦＦモード中に、Ｌ１０の条件（すなわち、Ｍ１０の条件）を満足すると、オフサイクル冷却モードに遷移する。
【００７１】
そして、オフサイクル冷却モード中に、Ｌ１の条件（すなわち、Ｍ１の条件）を満足するか、あるいはＤＥＦ温度センサ３６の検知する温度が所定値のＯＳＲ＿ＯＦＦ温度まで上昇する（すなわち、Ｌ１１の条件を満足する）と、ＯＦＦモードに遷移する。
【００７２】
これによって、蒸発器２０に設置されたＤＥＦ温度センサ３６を用いて、オフサイクル冷却モードの時間を適正に調整することができる。従来の冷蔵庫では常に一定時間Ｔｄのオフサイクル冷却を行っていたため、蒸発器２０の温度が必要以上に上昇して近接する冷凍室１８に伝熱して熱負荷を増大する懸念があった。オフサイクル冷却モードを終了する基準温度であるＯＳＲ＿ＯＦＦ温度は、−１５〜−５℃程度に設定することが望ましい。−１５℃未満ではオフサイクル冷却の効果が十分得られず、−５℃超では冷凍室１８の熱負荷が増大する可能性がある。
【００７３】
次に、通常条件における冷却動作について説明する。
【００７４】
ＰＣ冷却モード中に、ＦＣＣ温度センサ３４の検知する温度が所定値のＦＣＣ＿ＯＦＦ温度より高い温度を示すとともに、ＰＣＣ温度センサ３５の検知する温度が所定値のＰＣＣ＿ＯＦＦ温度まで下降する（すなわち、Ｌ５の条件を満足する）と、ＦＣ冷却モードに遷移する。加えて、Ｌ５の条件に付記したように、ＰＣ冷却モード中に、所定時間Ｔｘ１経過後、ＦＣＣ温度センサ３４の検知する温度と所定値のＦＣＣ＿ＯＦＦ温度との差が、ＰＣＣ温度センサ３５の検知する温度と所定値のＰＣＣ＿ＯＦＦ温度との差と同等以上になると、ＦＣ冷却モードに遷移する。
【００７５】
ＦＣ冷却モードにおいて、圧縮機１９から吐出された冷媒は、主凝縮器２１で外気と熱
交換しながら一部の気体を残して凝縮した後、流路切換バルブ４０を介して防露パイプＡ３７あるいは防露パイプＢ４１へ供給される。このとき、流路切換バルブ４０を制御して防露パイプＡ３７あるいは防露パイプＢ４１のどちらか一方に交互に冷媒を供給する。この結果、冷凍室１８の開口部を介して防露パイプＡ３７から冷凍室１８に侵入する熱負荷量を低減することができる。
【００７６】
その後、合流点４２を通過した液冷媒は、従来と同様にドライヤ３８で水分除去され、絞り３９で減圧されて蒸発器２０で蒸発しながら冷蔵室１７の庫内空気と熱交換して冷蔵室１７を冷却しながら、気体冷媒として圧縮機１９に還流する。
【００７７】
なお、防露パイプＡ３７と防露パイプＢ４１は略同等の内容積と放熱能力を有しているため、不使用状態における液冷媒の保持量や使用状態における放熱量が同等であり、切換えに伴う冷却状態の大きな変化はなく効率よく冷却することができる。
【００７８】
ＦＣ冷却モード中に、ＦＣＣ温度センサ３４の検知する温度が所定値のＦＣＣ＿ＯＦＦ温度まで下降するとともに、ＰＣＣ温度センサ３５の検知する温度が所定値のＰＣＣ＿ＯＮ温度以上を示す（すなわち、Ｌ６の条件を満足する）と、ＰＣ冷却モードに遷移する。加えて、Ｌ６の条件に付記したように、ＦＣ冷却モード中に、所定時間Ｔｘ１経過後、ＦＣＣ温度センサ３４の検知する温度と所定値のＦＣＣ＿ＯＦＦ温度との差が、ＰＣＣ温度センサ３５の検知する温度と所定値のＰＣＣ＿ＯＦＦ温度との差と同等以下になると、ＰＣ冷却モードに遷移する。
【００７９】
ＰＣ冷却モードにおいて、圧縮機１９から吐出された冷媒は、主凝縮器２１で外気と熱交換しながら一部の気体を残して凝縮した後、流路切換バルブ４０を介して防露パイプＡ３７あるいは防露パイプＢ４１へ供給される。このとき、流路切換バルブ４０を制御して防露パイプＡ３７あるいは防露パイプＢ４１のどちらか一方に交互に冷媒を供給する。この結果、冷凍室１８の開口部を介して防露パイプＡ３７から冷凍室１８に侵入する熱負荷量を低減することができる。
【００８０】
その後、合流点４２を通過した液冷媒は、従来と同様にドライヤ３８で水分除去され、絞り３９で減圧されて蒸発器２０で蒸発しながら冷蔵室１７の庫内空気と熱交換して冷蔵室１７を冷却しながら、気体冷媒として圧縮機１９に還流する。
【００８１】
なお、防露パイプＡ３７と防露パイプＢ４１は略同等の内容積と放熱能力を有しているため、不使用状態における液冷媒の保持量や使用状態における放熱量が同等であり、切換えに伴う冷却状態の大きな変化はなく効率よく冷却することができる。また、ＰＣ冷却モードにおいては、冷凍室１８内に冷気が流入せず冷凍室１８内の温度がＦＣ冷却モード中よりも比較的高くなるため、防露パイプＡ３７の使用比率をＦＣ冷却モード中よりも低く抑えてもよい。
【００８２】
次に、過負荷条件における冷却動作について説明する。
【００８３】
前記した通常条件の制御よって、冷蔵室１７と冷凍室１８がともに高温となる電源投入時などの過負荷条件において、所定時間Ｔｘ１毎にＰＣ冷却モードとＦＣ冷却モードを交互に切り換えるとともに、冷却を終了する目安となるＯＦＦ温度との乖離がより大きい方を優先的に冷却することができる。この結果、従来の冷蔵庫で実施していた時間固定の交互冷却に比べて、より柔軟に冷却運転時間を振り分けることができる。
【００８４】
しかしながら、冷却運転時間に自由度を持たせた交互冷却を行っても、冷凍室１８の冷却が断続的に行われるため、アイスクリームなど冷凍食品の保存温度の上限を越える懸念
があった。そこで、過負荷条件においてのみ、冷蔵室１７と冷凍室１８を同時に冷却する動作（以下、この動作を「同時冷却モード」という）を加えた。
【００８５】
同時冷却モードとは、冷凍室ダンパー３１を開、冷蔵室ダンパー３２を開として、圧縮機１９とファン２３、蒸発器ファン３０を駆動するものである。同時冷却モードにおいては、ファン２３の駆動によって、隔壁２２で仕切られた下部機械室１５の主凝縮器２１側が負圧となり複数の吸気口２６から外部の空気を吸引し、圧縮機１９と蒸発皿５７側が正圧となり下部機械室１５内の空気を複数の排出口２７から外部へ排出する。
【００８６】
一方、圧縮機１９から吐出された冷媒は、主凝縮器２１で外気と熱交換しながら一部の気体を残して凝縮した後、流路切換バルブ４０を介して防露パイプＡ３７あるいは防露パイプＢ４１へ供給される。このとき、流路切換バルブ４０を制御して防露パイプＡ３７と防露パイプＢ４１の両方同時に冷媒を供給する。この結果、１本当りの冷媒循環量を低減することで、防露パイプＡ３７と防露パイプＢ４１に起因する圧力損失を抑制することができる。
【００８７】
その後、合流点４２を通過した液冷媒は、ドライヤ３８で水分除去され、絞り３９で減圧されて蒸発器２０で蒸発しながら冷蔵室１７および冷凍室１８の庫内空気と熱交換して冷蔵室１７および冷凍室１８を冷却しながら、気体冷媒として圧縮機１９に還流する。
【００８８】
このとき、蒸発器ファン３０を高速回転して、冷蔵室１７および冷凍室１８を並列に冷却するために必要な風量を確保する。この結果、ＦＣ冷却モードに比べて、高温で高風速となる空気が蒸発器２０に流入することで、蒸発器２０の吹き出し空気温度が上昇傾向となるため、比較的高い回転数で圧縮機１９を運転して適正な冷凍能力を確保することが望ましい。同時冷却モードで圧縮機１９を低速で運転すると、蒸発器２０の吹き出し空気温度が上昇して冷凍室１８を低温まで冷却できないことが懸念される。
【００８９】
そこで、ＰＣ冷却モード中に、圧縮機１９の回転数が所定回転数以上である（すなわち、Ｌ１２の条件を満足する）場合、同時冷却モードに遷移するとともに、同時冷却モード中に、圧縮機１９の回転数が所定回転数未満である（すなわち、Ｌ１３の条件を満足する）場合、ＰＣ冷却モードに遷移する。また、Ｌ１２とＬ１３のモード切換は他の状態遷移に優先して行われる。これは、圧縮機１９の回転数が所定回転数以上まで増速していることで、冷蔵庫１１が過負荷条件であることを検知して同時冷却モードに遷移するとともに、圧縮機１９の回転数が所定回転数未満において、蒸発器２０の吹き出し空気温度が上昇して冷凍室１８を低温まで冷却できないことが回避するためである。
【００９０】
また、同時冷却モード中に、ＰＣＣ温度センサ３５の検知する温度が所定値のＰＣＣ＿ＯＦＦ温度以下まで低下するか、あるいは、所定時間Ｔｘ５経過後、ＦＣＣ温度センサ３４の検知する温度がＦＣＣ＿ＯＮ温度よりも高い所定値のＦＣＣ＿ＬＩＭ温度以上を示す（すなわち、Ｌ１４の条件を満足する）と、ＦＣ冷却モードに遷移する。これは、ＦＣ冷却モード中に非冷却となる冷蔵室１７の温度上昇を抑制するために、冷凍室１８が許容される温度上限まで同時冷却モードを継続するものである。従って、ＦＣＣ温度センサ３４の検知するＦＣＣ＿ＬＩＭ温度は、通常冷却中の上限温度であるＦＣＣ＿ＯＮ温度よりも２〜５℃高い、弱冷に相当する所定値とすることが望ましい。
【００９１】
なお、本実施の形態１においては、過負荷条件に対応する同時冷却モードに遷移するＬ１２の条件を圧縮機１９の回転数で規定したが、高外気温での電源投入時や頻繁な扉開閉などを検知して同時冷却モードに遷移してもよい。圧縮機１９が増速するまでもなく、冷蔵庫１１が過負荷条件にあることが明確であれば、より早く同時冷却モードに遷移することができる。また、この場合、冷蔵室１７や冷凍室１８の温度がある程度低下することを
検知して同時冷却モードを解除するように、Ｌ１３の条件を変更してもよい。これによって、本実施の形態１と同様に、最も効率の高いＰＣ冷却モードをより長時間使用することができる。
【００９２】
次に、同時冷却モード中に蒸発器２０が着霜した場合のデフロストについて説明する。
【００９３】
同時冷却モード中に、ＦＣＣ温度センサ３４の検知する温度がＦＣＣ＿ＬＩＭ温度よりも下回った時点で、冷凍室ダンパー３１の開度を下げる。これは、冷凍室１８が弱冷レベルに達した時点で冷蔵室１７の冷却を優先するために、冷凍室１８への風量分配量を抑制するものである。そして、同時冷却モードの開始から所定時間Ｔｘ６経過後、ＰＣＣ温度センサ３５の検知する温度がＰＣＣ＿ＯＦＦ温度を越える（すなわち、Ｌ１５の条件を満足する）と、デフロストモードに遷移する。
【００９４】
これは、同時冷却モード中に蒸発器２０が着霜して冷蔵室１７が鈍冷傾向となった時に、所定時間Ｔｘ２毎に行われる通常のデフロストを早めて実施するものであり、蒸発器２０の除霜間隔を縮めることで冷蔵室１７の冷却能力を早期に回復することができる。同時冷却モードにおいては、蒸発器ファン３０を高速回転して、冷蔵室１７と冷凍室１８の両方に並行して送る風量を確保しているが、蒸発器２０に大量の着霜が生じた場合、十分な風量が確保できなくなる。この時、蒸発器２０の直ぐ前に形成された冷凍室１８に比べて、蒸発器２０から送風する経路が比較的長い冷蔵室１７の風量が大きく低下する。そこで、冷凍室１８が弱冷レベルに達した時点で冷蔵室１７の冷却を優先するために、冷凍室１８への風量分配量を抑制するとともに、それでも所定時間Ｔｘ６経過後に冷蔵室１７の冷却が不十分と判断した時点で、蒸発器２０の除霜間隔を縮めることで冷蔵室１７の冷却能力を早期に回復することができる。
【００９５】
（実施の形態２）
図５は本発明の実施の形態２における冷蔵庫のサイクル構成図、図６は本発明の実施の形態２における冷蔵庫の正面の模式図、図７は本発明の実施の形態２における冷蔵庫の冷却停止前後の制御を示した図である。なお、実施の形態１と同一構成については同一符号を付して、その詳細な説明は省略する。
【００９６】
図５、６において、冷凍サイクルを構成する部品として、主凝縮器２１の下流側に位置し、冷凍室１８の開口部周辺の筐体１２の外表面と熱結合された防露パイプＡ４４、防露パイプＡ４４の下流側に位置し、循環する冷媒を乾燥するドライヤ３８、ドライヤ３８と蒸発器２０を結合し、循環する冷媒を減圧する絞り３９を有している。
【００９７】
ここで、防露パイプＡ４４の冷媒流路を分岐するために、流路切換バルブ４０、防露パイプＢ４５、合流点４６を有している。防露パイプＡ４４、防露パイプＢ４５は、流路切換バルブ４０と合流点４６を並列に結ぶとともに、流路切換バルブ４０は、防露パイプＡ４４、防露パイプＢ４５それぞれ単独の冷媒の流れを開閉制御することができる。また、防露パイプＢ４５は防露パイプＡ４４と略同等の内容積と放熱能力を有し筐体１２の背面に接して放熱するとともに、真空断熱材４３と重複して配置することで筐体１２内部への伝熱を抑制している。
【００９８】
また、下部機械室１５内に流路切換バルブ４０を設置するとともに、上部機械室１６内に合流点４６を設置し、防露パイプＡ４４と防露パイプＢ４５の流れ方向を略上方の一方向となるように構成する。これによって、防露パイプＡ４４と防露パイプＢ４５に冷凍サイクルの運転中に冷媒が滞留しやすいトラップ構造をなくして、冷凍サイクルを停止した際に圧力差で蒸発器２０に流入する高温冷媒の量が減少することで蒸発器２０の昇温を抑制することができる。
【００９９】
以上のように構成された本発明の実施の形態２における冷蔵庫について、以下冷凍サイクルの冷却停止前後の動作を説明する。
【０１００】
図７において、区間ａと区間ｂ、区間ｆはＰＣ冷却モードあるいはＦＣ冷却モードを示し、区間ｃ〜区間ｅはＯＦＦモードを示す。
【０１０１】
区間ｂで示したＯＦＦモード直前において、流路切換バルブ４０を開開として防露パイプＡ４４と防露パイプＢ４５の両方に並列に冷媒を流すとともに、圧縮機１９と蒸発器ファン３０を運転する。一方、ファン２３を停止する。これによって、冷凍サイクルの停止直前の防露パイプＡ４４と防露パイプＢ４５内の冷媒の乾き度を上昇させて防露パイプＡ４４と防露パイプＢ４５に滞留する冷媒量を低減することができ、冷凍サイクルを停止した際に圧力差で蒸発器２０に流入する高温冷媒の量が減少することで蒸発器２０の昇温を抑制することができる。
【０１０２】
次に、区間ｃで示したＯＦＦモード直後において、流路切換バルブ４０を閉閉として防露パイプＡ４４と防露パイプＢ４５の両方の流路を遮断するとともに、圧縮機１９と蒸発器ファン３０を運転する。一方、ファン２３を停止する。これによって、冷凍サイクルの停止中に防露パイプＡ４４と防露パイプＢ４５内の冷媒の一部を絞り３９で減圧しながら圧縮機１９まで回収することで防露パイプＡ４４と防露パイプＢ４５に滞留する冷媒量を低減することができ、冷凍サイクルを停止した際に圧力差で蒸発器２０に流入する高温冷媒の量が減少することで蒸発器２０の昇温を抑制することができる。
【０１０３】
次に、区間ｄで示したＯＦＦモードにおいては、従来と同様に、流路切換バルブ４０を閉閉として防露パイプＡ４４と防露パイプＢ４５の両方の流路を遮断するとともに、圧縮機１９と蒸発器ファン３０、ファン２３を停止する。これによって、主凝縮器２１などに滞留する高温冷媒が蒸発器２０に流入することを防止して、蒸発器２０の昇温を抑制する。
【０１０４】
次に、区間ｅで示したＰＣ冷却モードあるいはＦＣ冷却モードの直前において、圧縮機１９と蒸発器ファン３０、ファン２３を停止するとともに、流路切換バルブ４０を開開として防露パイプＡ４４と防露パイプＢ４５の両方の流路を開放する。これによって、蒸発器２０に流入することで滞留冷媒量が減少した防露パイプＡ４４と防露パイプＢ４５に圧力差で主凝縮器２１の滞留冷媒の一部を移動させ、冷凍サイクルの運転直後の冷媒循環量不足を解消することができる。
【０１０５】
次に、区間ｆで示したＰＣ冷却モードあるいはＦＣ冷却モードの直後において、流路切換バルブ４０を開開として防露パイプＡ４４と防露パイプＢ４５の両方の流路を開放するとともに、圧縮機１９と蒸発器ファン３０を運転する。一方、ファン２３を停止する。これによって、冷凍サイクルの起動直後の主凝縮器２１の放熱能力を低下させて、冷凍サイクルの高圧圧力を上昇させることで、冷凍サイクルの運転直後の冷媒循環量不足を解消することができる。
【０１０６】
以上のように、本発明の冷蔵庫は、主凝縮器２１の下流側に流路切換バルブ４０を介して防露パイプＡ４４と防露パイプＢ４５を並列接続することで、冷蔵庫の設置環境や運転状態によって防露パイプに起因する圧力損失や熱負荷を任意に調整して抑制することができるとともに、ＯＦＦモード中に流路切換バルブ４０を全閉して主凝縮器２１内の液冷媒を下流側に流さないようにし、防露パイプＡ４４と防露パイプＢ４５に滞留する冷媒量を削減することで、蒸発器２０内に流入する高温の液冷媒の量を抑制することができ、冷蔵庫の熱負荷量を低減することができる。
【産業上の利用可能性】
【０１０７】
以上のように、本発明にかかる冷蔵庫は、主凝縮器の下流側に流路切換バルブを介して複数の防露パイプを並列接続することで、冷蔵庫の設置環境や運転状態によって防露パイプに起因する圧力損失や熱負荷を任意に調整して抑制することができるので、業務用冷蔵庫など他の冷凍冷蔵応用商品にも適用できる。
【符号の説明】
【０１０８】
１１  冷蔵庫
１２  筐体
１５  下部機械室
１６  上部機械室
１９  圧縮機
２０  蒸発器
３０  蒸発器ファン
３１  冷凍室ダンパー
３２  冷蔵室ダンパー
３３  ダクト
３４  ＦＣＣ温度センサ
３５  ＰＣＣ温度センサ
３６  ＤＥＦ温度センサ
３７、４４  防露パイプＡ
４０  流路切換バルブ
４１、４５  防露パイプＢ
４２、４６  合流点
４３  真空断熱材
【図１】
2013210180.tif 000003
【図２】
2013210180.tif 000004
【図３】
2013210180.tif 000005
【図４】
2013210180.tif 000006
【図５】
2013210180.tif 000007
【図６】
2013210180.tif 000008
【図７】
2013210180.tif 000009
【図１２】
2013210180.tif 000010
【図８】
2013210180.tif 000011
【図９】
2013210180.tif 000012
【図１０】
2013210180.tif 000013
【図１１】
2013210180.tif 000014